(57)【要約】【課題】ワンセグとフルセグなどの複数形式のデータを受信し、適切な録画再生が可能な録画再生装置を提供する。【解決手段】本発明にかかる録画再生装置は、第１のデータおよび第２のデータを受信する受信手段と、前記受信手段により受信された第１のデータの受信状況を検出し、前記第１のデータおよび前記第２のデータの切り替えタイミングを示すタイミングデータを生成する生成手段と、前記第１のデータ及び前記第２のデータと前記生成手段により生成されたタイミングデータとを記録する記録手段と、前記記録手段に記録された第１のデータを再生する第１の再生部と、前記記録手段に記録された第２のデータを再生する第２の再生部と、前記記録手段に記録されたタイミングデータを用いて、前記第１の再生部及び前記第２の再生部による再生を制御する制御手段と、を備える。【選択図】図１
2011015175.tif 000002
【特許請求の範囲】
【請求項１】
第１のデータおよび第２のデータを受信する受信手段と、
前記受信手段により受信された第１のデータの受信状況を検出し、前記第１のデータおよび前記第２のデータの切り替えタイミングを示すタイミングデータを生成する生成手段と、
前記第１のデータ及び前記第２のデータと、前記生成手段により生成されたタイミングデータとを記録する記録手段と、
前記記録手段に記録された第１のデータを再生する第１の再生部と、
前記記録手段に記録された第２のデータを再生する第２の再生部と、
前記記録手段に記録されたタイミングデータを用いて、前記第１の再生部及び前記第２の再生部による再生を制御する制御手段と、
を備えていることを特徴とする録画再生装置。
【請求項２】
前記制御部は、前記タイミングデータに応じて、
前記制御手段は、前記タイミングデータに基づき、前記第１の再生手段及び前記第２の再生手段への電源供給をオン、オフするように制御することを特徴とする請求項１に記載の録画再生装置。
【請求項３】
前記制御部は、前記第１の再生手段あるいは前記第２の再生手段への電源供給をオフした場合に、前記タイミングデータに含まれる切り替え時刻よりも所定時間前に前記第１の再生手段あるいは前記第２の再生手段への電源供給をオンにするように制御することを特徴とする請求項２に記載の録画再生装置。
【請求項４】
前記第１のデータ及び前記第２のデータは１つのデータストリームとして記録手段に記録され、
前記録画再生装置は、前記データストリームから前記第１のデータ及び前記第２のデータを分離する分離手段を備えていることを特徴とする請求項１ないし３のいずれかに記載の録画再生装置。
【請求項５】
請求項１ないし４のいずれかに記載の録画再生装置は、前記受信手段により受信された第１のデータの、少なくとも大きさ、解像度、ビットレートの１つを変換するトランスコーダを備え、
前記記録手段は、前記トランスコーダにより変換された第１のデータを記録することを特徴とする録画再生装置。
【請求項６】
前記第１のデータはフルセグ放送により放送されたデータであり、前記第２のデータはワンセグ放送により放送されたデータであることを特徴とする請求項１ないし請求項５のいずれかに記載の録画再生装置。
【請求項７】
第１のデータおよび第２のデータを受信する受信手段と、
前記受信手段により受信された第１のデータの受信状況を検出し、前記第１のデータおよび前記第２のデータの切り替えタイミングを示すタイミングデータを生成する生成手段と、
前記第１のデータ及び前記第２のデータと、前記生成手段により生成されたタイミングデータとを記録する記録手段と、
前記記録手段に記録された前記第１のデータと前記第２のデータと前記タイミングデータとを出力する出力手段と、
を備えていることを特徴とする録画装置。
【請求項８】
第１のデータ及び第２のデータと、前記第１のデータおよび前記第２のデータの切り替えタイミングを示すタイミングデータとを受信する受信手段と、
前記第１のデータを再生する第１の再生部と、
前記第２のデータを再生する第２の再生部と、
前記タイミングデータを用いて、前記第１の再生部及び前記第２の再生部による再生を制御する制御手段と、
を備えていることを特徴とする再生装置。
【発明の詳細な説明】
【技術分野】
【０００１】
本発明は、ワンセグとフルセグなどの複数形式のデータの録画を行う録画装置及び録画されたデータの再生を行う再生装置、録画再生装置に関するものである。
【背景技術】
【０００２】
地上デジタルテレビジョン放送には、１３セグメント中の１２セグメント使用する高解像度のハイビジョン放送（以下、フルセグ）と、１３セグメント中の１セグメント使用する１セグメント放送（以下、ワンセグ）がある。ワンセグは、フルセグに比べて受信帯域が狭く、移動中でも安定した受信が可能になっているため、携帯電話などの移動体端末向けのサービスとして提供されている。
【０００３】
特許文献１には、デジタル放送信号の受信状況が良く、フルセグ復調部においてフルセグの映像データを良好に復元できている場合にフルセグを選択し、デジタル放送信号の受信状況が悪く、フルセグの映像データを良好に復元できない場合に、ワンセグを選択するデジタル放送受信装置が開示されている。
【先行技術文献】
【特許文献】
【０００４】
【特許文献１】特開２００９−７７０３９号公報
【発明の概要】
【発明が解決しようとする課題】
【０００５】
移動体端末の表示部の大画面化、高機能化に伴い、放送データをリアルタイムに視聴する場合だけでなく、録画して後で視聴するという使用形態も増え、このような場合には、特に高精細なフルセグを視聴することが望まれている。しかしながら、特許文献１には、電波環境が変動する状況において、如何にワンセグおよびフルセグのデータを録画し、どのように再生するかについて記載されていない。
【０００６】
そこで、本発明は、ワンセグとフルセグなどの複数形式のデータを適切に録画可能な録画装置及び録画されたデータを適切に再生可能な再生装置、録画再生装置を提供することを目的とする。
【課題を解決するための手段】
【０００７】
本発明にかかる録画再生装置は、第１のデータおよび第２のデータを受信する受信手段と、前記受信手段により受信された第１のデータの受信状況を検出し、前記第１のデータおよび前記第２のデータの切り替えタイミングを示すタイミングデータを生成する生成手段と、前記第１のデータ及び前記第２のデータと前記生成手段により生成されたタイミングデータとを記録する記録手段と、前記記録手段に記録された第１のデータを再生する第１の再生部と、前記記録手段に記録された第２のデータを再生する第２の再生部と、前記記録手段に記録されたタイミングデータを用いて、前記第１の再生部及び前記第２の再生部による再生を制御する制御手段と、を備える。
【発明の効果】
【０００８】
本発明によれば、ワンセグとフルセグなどの複数形式のデータを適切に録画可能な録画装置及び録画されたデータを適切に再生可能な再生装置を提供することができる。
【図面の簡単な説明】
【０００９】
【図１】地上デジタルテレビジョン放送受信装置の構成例を示した図である。
【図２】地上デジタルテレビジョン放送受信装置の構成例を示す図である。
【図３】タイミングデータ作成について説明するためのタイムチャートである。
【図４】タイミングデータの一例を示す図である。
【図５】再生時の各部動作と消費電流を表したタイムチャートである。
【図６】地上デジタルテレビジョン放送受信装置の構成例を示す図である。
【図７】地上デジタルテレビジョン放送受信装置の構成例を示す図である。
【発明を実施するための形態】
【００１０】
以下、本発明の実施の形態を図を用いて説明する。
【００１１】
図１は、録画再生装置の適用例として、地上デジタルテレビジョン放送受信装置の構成を示した図である。
【００１２】
フルセグ部０は、周波数変換、帯域選択、信号のレベル調整を行うフルセグチューナ１０、フルセグのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号を復調するフルセグ復調部２０を有し、フルセグＴＳ（Ｔｒａｎｓｐｏｒｔ  Ｓｔｒｅａｍ）データ５０を出力する。ワンセグ部１は、ワンセグチューナ１１、ワンセグ復調部２１を有し、ワンセグＴＳデータ５１を出力する。録画管理部４は、誤り率検出機能を持ち、タイミングデータ５２を生成する。メモリ５は、フルセグＴＳデータ５０、ワンセグＴＳデータ５１、タイミングデータ５２を保存する。
【００１３】
処理部６は、フルセグ再生部６０、ワンセグ再生部６１を有する。フルセグ再生部６０は、フルセグＴＳデータ５０をフルセグのＥＳ（Ｅｌｅｍｅｎｔａｒｙ  Ｓｔｒｅａｍ）データへ変換し、映像信号、音声信号、字幕信号を出力する。ワンセグ再生部６１は、ワンセグＴＳデータ５１をワンセグのＥＳデータへ変換し、映像信号、音声信号、字幕信号を出力する。処理部６は、タイミングデータ５２を用いてフルセグ再生部６０及びワンセグ再生部６１をオン、オフ制御し、表示部７への出力を切り替える。表示部７は、例えば液晶画面等により構成される。
【００１４】
なお、図１の例では、フルセグ部０、ワンセグ部１にそれぞれにチューナ、復調部を１つずつ持つ構成としたが、これに限定するものではない。例えば、ある番組を視聴しつつ、他の番組を録画できるように、チューナ及び復調部を複数設けるようにしても良い。
【００１５】
また、メモリ５は大容量記憶媒体であり、地上デジタルテレビジョン放送波を複数番組記録できるものであることが望ましい。例えば、ハードディスクのような内部記憶媒体でもよく、ＳＤ（Ｓｅｃｕｒｅ Ｄｉｇｉｔａｌ）メモリーカードのようなフラッシュメモリ等の外部記憶媒体でもよい。
【００１６】
また、図１の例では、フルセグ部０とワンセグ部１とが別体として示されているが、図２に示すチューナＬＳＩ１００のように、１つのＬＳＩの中に設けるようにしても良い。この場合、フルセグＴＳデータ５０とワンセグＴＳデータ５１は、チューナＬＳＩ１００から出力され、メモリ５に記録される。録画管理部４はチューナＬＳＩ１００の出力からタイミングデータ５２を作成し、メモリ５に記録する。
【００１７】
はじめに、地上デジタルテレビジョン放送の録画処理について以下説明する。なお、この録画処理は、放送受信装置の制御部（図示せず）が、各構成を制御することにより実施される。
【００１８】
ユーザにより録画指示が入力された場合、あるいは録画予約として設定した時間になると、制御部が、フルセグ部０及びワンセグ部１をオンにする。フルセグチューナ１０は、アンテナ２で受信した地上デジタルテレビジョン放送波を周波数変換、帯域選択、信号レベル調整し、フルセグのＯＦＤＭ信号を出力する。フルセグ復調部２０は、フルセグのＯＦＤＭ信号を復調し、フルセグＴＳデータ５０を出力する。同様に、ワンセグチューナ１１は、アンテナ２で受信した地上デジタルテレビジョン放送波を周波数変換、帯域選択、信号レベル調整しワンセグのＯＦＤＭ信号を出力する。ワンセグ復調部２１はワンセグのＯＦＤＭ信号を復調し、ワンセグＴＳデータ５１を出力する。出力されたフルセグＴＳデータ５０及びワンセグＴＳデータ５１は、メモリ５に記録される。
【００１９】
録画管理部４は、フルセグ復調部２０から出力されたフルセグＴＳデータ５０のＰＥＲ（Ｐａｃｋｅｔ  Ｅｒｒｏｒ  Ｒａｔｅ）を検出し、ＰＥＲが所定の閾値値以上になった場合に、その時刻などを含んだタイミングデータ５２を生成する。例えば、図３に示すように、フルセグ及びワンセグを受信している状況において、時刻Ｔ０で録画開始を開始すると、録画管理部４はフルセグＴＳデータ５０のＰＥＲを検出する。図３の例では、フルセグＴＳデータ５０のＰＥＲが閾値未満のため、時刻Ｔ０をフルセグ切り替え時間とする。ＰＥＲの検出を継続し、時刻Ｔ１においてＰＥＲが閾値以上になったことを検出すると、時刻Ｔ１をフルセグからワンセグへの切り替え時刻とする。その後、時刻Ｔ２においてフルセグＴＳデータ５０のＰＥＲが低下すると、時刻Ｔ２をワンセグからフルセグへの切り替え時刻とする。このように検出した切り替え時刻を用いてタイミングデータ５２を生成し、メモリ５に記録する。
【００２０】
なお、以上の説明では、ＰＥＲを継続的に検出しているが、これに限定するものではなく、所定時間ごとに間欠的に検出するようにしても良い。また、ＰＥＲに基づいてフルセグとワンセグとの切り替えを判断するものに限定するものではなく、例えば、各チューナーや各復調部の信号対雑音比によりワンセグ放送の受信状況を検出し、フルセグ視聴可否の判断してもよい。また、本例では、フルセグＴＳデータ５０のＰＥＲ等だけを検出しているが、ワンセグＴＳデータ５１のＰＥＲ等も検出し、例えばフルセグＴＳデータ５０のＰＥＲが閾値以上になっている場合でも、ワンセグＴＳデータ５１のＰＥＲも上昇し、ＰＥＲの差が所定値未満の場合には、フルセグからワンセグに切り替えないようにしても良い。
【００２１】
図４は、タイミングデータ５２の一例である。タイミングデータ５２は、時刻とワンセグ、フルセグの視聴可否情報を有する。図４の例では、時刻Ｔ０でフルセグで視聴を開始し、時刻Ｔ１でフルセグに切り替え、時刻Ｔ２でフルセグに切り替えることを示す情報が記録されている。なお、図４は一例であり、ワンセグとフルセグとの切り替えタイミングを識別可能な情報であれば、他の形式であっても良く、タイミングデータ５２に記録される情報は、時刻や視聴可否情報に限られるものではない。例えば、番組情報、録画モード、映像モード、音声モード、大きさ、受信レベル等の情報を記録してもよい。
【００２２】
次に、メモリ５に記録したフルセグＴＳデータ５０及びワンセグＴＳデータ５１の再生処理について説明する。この録画処理は、放送受信装置の制御部が、各構成を制御することにより実施される。
【００２３】
ユーザから再生指示が入力されると、制御部は、処理部６がメモリ５からタイミングデータ５２を取得するように制御する。図５の例に示すように、処理部６は、タイミングデータ５２に基づいて、フルセグ再生部６０及びワンセグ再生部６１をオン、オフし、表示部７への出力をフルセグやワンセグに切り替える。
【００２４】
例えば図４に示したように、開始時刻Ｔ０ではフルセグと、タイミングデータ５２に設定されている場合には、処理部６は、ワンセグ再生部６１への電源供給をオフにしたスリープ状態とし、フルセグ再生部６０への電源供給をオンにしたアクティブ状態にするように制御する。ここで、メモリ５に記憶されたフルセグＴＳデータ５０には、時刻情報が含まれており、フルセグ再生部６０は時刻Ｔ０に対応するフルセグＴＳデータ５０を取得し、表示部７へフルセグ映像を出力する。そして、タイミングデータ５２に設定されている視聴可否の切り替え時間まで、フルセグＴＳデータ５０の取得および表示部７へのフルセグ映像の出力を継続する。
【００２５】
次に、処理部６は、タイミングデータ５２に設定されている切り替え時刻Ｔ１に合わせて表示部７に出力する映像をフルセグからワンセグに切り替えるため、ワンセグ再生部６１の起動時間（Ｔｏ）を考慮し、時刻Ｔ１以前の時刻Ｔ１’（Ｔ１−Ｔｏ）でワンセグ再生部６１をオンにする。そして、時刻Ｔ１でフルセグからワンセグへ切り替えを行い、フルセグ再生部６０をオフする。フルセグＴＳデータ５０と同様に、ワンセグＴＳデータ５１には時刻情報が含まれており、ワンセグ再生部６１は時刻Ｔ１に対応するワンセグＴＳデータ５１を取得し、表示部７へワンセグ映像を出力する。そして、タイミングデータ５２に設定されている次の視聴可否の切り替え時間まで、ワンセグＴＳデータ５１の取得および表示部７へのワンセグ映像の出力を継続する。
【００２６】
更に、処理部６は、タイミングデータ５２に設定されている切り替え時刻Ｔ２に合わせて表示部７に出力する映像をワンセグからフルセグに切り替えるため、フルセグ再生部６０の起動時間（Ｔｆ）を考慮し、時刻Ｔ２以前の時刻Ｔ２’（Ｔ２−Ｔｆ）でフルセグ再生部６０をオンし、ワンセグ再生部６１をオフする。フルセグ再生部６０は時刻Ｔ２に対応するフルセグＴＳデータ５０を取得し、表示部７へフルセグ映像を出力する。
【００２７】
このように、タイミングデータ５２に基づいて、フルセグ映像とワンセグ映像の表示を切り替えることにより、電波環境等の変化により、フルセグ放送の受信状況が悪い場合であっても、適切な映像をユーザに提供することができる。また、図１や図２に示すように、フルセグ再生部６０及びワンセグ再生部６１の２つの再生部を備え、これら両方を起動させると消費電力が増加するという課題があるが、本例によれば、タイミングデータ５２に基づいて、フルセグ再生部６０及びワンセグ再生部６１への電源供給をオン、オフすることにより、消費電力を低減することができる。
【００２８】
なお、以上の説明では、切り替えを行った後に、一方の再生部をオフしているが、タイミングデータ５２に設定されている切り替え時刻の間隔が、フルセグ再生部６０の起動時間Ｔｆまたはワンセグ再生部６１の起動時間Ｔｏより短い場合には、切り替え後に再生部をオフしないように制御することが望ましい。このように、制御することにより、フルセグ映像とワンセグ映像の表示切り替えをスムーズに行うことができる。また、例えば数秒間など、切り替え間隔が短く、瞬間的な切り替えになる場合には、不要なちらつきを抑えるため、切り替えないように制御することが望ましい。例えば、タイミングデータ５２に設定されている切り替え間隔が所定時間未満の場合に、処理部６が切り替えを実行するかどうかを判定するようにしても良いし、録画管理部４が、検出された切り替え間隔が所定時間未満の場合に、検出した切り替えを含めずにタイミングデータ５２を生成するようにしても良い。また、タイミングデータ５２に、表示を切り替える時刻に追加して、起動時間を考慮した再生部のオンオフ切り替え時刻を含めるようにしても良い。
【００２９】
なお、以上説明した例では、フルセグとワンセグの２系統のシステムとしたが、これに限らない。例えば、４セグメントを用いる標準放送、デジタルラジオ放送等との組み合わせでもよい。
【００３０】
また、図１及び図２の例では、フルセグＴＳデータ５０とワンセグＴＳデータ５１を別々のデータとして記録していたが、これに限定するものではない。例えば図６に示すように、地上デジタルテレビジョン放送のフルセグ、ワンセグが復調、視聴可能な１３セグメントのＴＳデータを記録するようにしても良い。なお、図６において、図１及び図２と同じ構成については同じ符号を用い、説明を省略する。
【００３１】
図６の例では、チューナＬＳＩ１０１は、アンテナ２で受信した地上デジタルテレビジョン放送波を周波数変換後、復調し、ＴＳデータとして出力する。ここでＴＳデータはフルセグ及びワンセグを復調、再生可能な１３セグメントのＴＳデータであり、メモリ５にＴＳデータ５３として記録される。録画管理部４は、ＴＳデータ５３のＰＥＲからフルセグ視聴可か否かを判断し、フルセグからワンセグ、またはワンセグからフルセグへの切り替え時刻を含めたタイミングデータ５２を作成する。処理部６は、ＴＳデータ５３から、フルセグあるいはワンセグのＥＳデータを分離する機能を有する分離部６２を備える。
【００３２】
再生時、処理部６は、タイミングデータ５２により、フルセグとワンセグの切り替え時刻を取得する。そして、分離部６２がＴＳデータ５３からフルセグあるいはワンセグのＥＳデータを分離して出力するように制御する。また、処理部６は、フルセグ再生部６０又はワンセグ再生部６１をタイミングデータ５２に基づいてオン、オフ制御する。フルセグ再生部６０及びワンセグ再生部６１はそれぞれ、フルセグＥＳデータあるいはワンセグＥＳデータを映像信号、音声信号、字幕信号等に変換し、表示部７へ出力する。
【００３３】
また、図１及び図２の例では、フルセグＴＳデータ５０とワンセグＴＳデータ５１をそれぞれ記録していたが、携帯電話やカーナビゲーションシステムなどの移動体端末では、小型化のためにも記録するデータ容量は少ない方が望ましい。そのため、例えば図７に示すように、トランスコーダによりフルセグＴＳデータを一旦ＥＳデータに変換した上で記録するようにしても良い。なお、図７において、図１及び図２と同じ構成については同じ符号を用い、説明を省略する。また、図７の例では、図１と同様に、フルセグ部０とワンセグ部１を別体としているが、図２のように、チューナＬＳＩを用いるようにしても良い。
【００３４】
図７の例では、フルセグ部０から出力されたフルセグＴＳデータ５０をバッファ９０に保存する。トランスコーダ９は、フルセグＴＳデータ５０をＥＳデータへ変換し、映像等の大きさ、解像度、ビットレート等を下げ、再びＴＳデータであるトランスコードデータ５９として出力する。トランスコーダ９の出力であるトランスコードデータ５９はメモリ５に記録される。なお、バッファ９０に保存されるフルセグＴＳデータ５０は、トランスコーダ９による変換後、順次削除される。
【００３５】
図７の例では、フルセグ再生部６０の代わりにトランスコード再生部６９を備える。再生時、処理部６は、タイミングデータ５２により、フルセグとワンセグへの切り替え時刻を取得する。そして、トランスコード再生部６９又はワンセグ再生部６１をタイミングデータ５２に基づいてオン、オフ制御し、表示部７への出力を切り替える。フルセグ再生部６０及びワンセグ再生部６１はそれぞれ、フルセグＥＳデータあるいはワンセグＥＳデータを映像信号、音声信号、字幕信号等に変換し、表示部７へ出力する。フルセグ再生時、トランスコード再生部６９はトランスコードデータ５９を取得し、映像信号、音声信号、字幕信号等に変換し表示部７へ出力する。一方、ワンセグ再生時、ワンセグ再生部６１はワンセグＴＳデータ５１を取得し、映像信号、音声信号、字幕信号等に変換し表示部７へ出力する。  以上のように、トランスコーダ９を用いてフルセグＴＳデータ５０をトランスコードデータ６９とすることでデータ容量を小さくすることにより、記憶容量を節減することができる。また、フルセグ再生時には、大きさ、解像度、画質、ビットレート等を下げたトランスコードデータ５９を再生するため、処理容量が減少し、消費電力を低減させることができる。
【００３６】
なお、図７の例ではトランスコーダ９を独立のブロックとしたが、これに限らない。例えば、ＴＳ−ＥＳ変換機能を他の構成に設けるようにしてもよい。
【００３７】
また、以上説明した図１〜図７の例では、ワンセグ再生部をオンオフしているが、一般的に、フルセグ再生部に比べて消費電力が少ないため、ワンセグ再生部は起動したままにして、フルセグ再生部のみをオンオフするようにしても良い。
【００３８】
また、以上、フルセグチューナおよびワンセグチューナを備えた放送受信装置などの録画再生装置について説明したが、他の装置で録画されたフルセグデータ及びワンセグデータを再生する再生装置に本発明を適用しても良い。この場合、図１や図２等のフルセグ部０及びワンセグ部１、あるいはチューナＬＳＩ１００、１０１の代わりに、再生装置に他の装置と有線あるいは無線で通信を行う通信部を設け、この通信部により他の装置で録画したフルセグデータ及びワンセグデータを受信し、受信したフルセグデータを録画管理部４に入力し、タイミングデータを生成し、生成したタイミングデータおよび受信したフルセグデータ及びワンセグデータをメモリ５に記憶し、処理部６が生成したタイミングデータを用いて再生時にフルセグ映像とワンセグ映像を切り替えて表示するように制御するようにする。また、通信部によるデータ受信に限らず、再生装置にＳＤカードなどの記録媒体を装着する装着部を備え、記録媒体から取得したデータを用いて再生制御するようにしても良い。また、他の装置あるいは記録媒体から、フルセグデータ及びワンセグデータとともにタイミングデータを入手し、入手したタイミングデータに基づいて、処理部６が再生制御するようにしても良い。この場合、再生装置から録画管理部４を省略することができる。
【００３９】
また、録画再生装置に限らず、録画装置に本発明を適用するようにしても良い。この場合、例えば図１等に記載の放送受信装置に、処理部６及び表示部７の代わりに、あるいは追加して、通信部あるいは記録媒体装着部を設け、メモリ５に記憶したフルセグデータ、ワンセグデータ及びタイミングデータを対応付けて外部に出力する。
【符号の説明】
【００４０】
０    フルセグ部
１    ワンセグ部
２    アンテナ
４    録画管理部
５    メモリ
６    処理部
７    表示部
９    トランスコーダ
１０    フルセグチューナ
１１    ワンセグチューナ
２０    フルセグ復調部
２１    ワンセグ復調部
５０    フルセグＴＳデータ
５１    ワンセグＴＳデータ
５２    タイミングデータ
５３    ＴＳデータ
５９    トランスコードデータ
６０    フルセグ再生部
６１    ワンセグ再生部
６２    分離部
６９    トランスコード再生部
１００    チューナＬＳＩ
【図１】
2011015175.tif 000003
【図２】
2011015175.tif 000004
【図３】
2011015175.tif 000005
【図４】
2011015175.tif 000006
【図５】
2011015175.tif 000007
【図６】
2011015175.tif 000008
【図７】
2011015175.tif 000009